(57)【要約】【課題】隣接トラックと再生トラックの周波数および／または位相ずれを考慮して擬似的にクロストーク成分を生成し、再生信号からクロストークの影響を除去する方法を得る。【解決手段】Ｎ＋１（Ｎ：２以上の自然数）番目トラックの再生において、Ｎ番目トラックの再生信号を出力する遅延部と、Ｎ＋１番目トラックからＮ番目トラックに対するクロストーク量である第１干渉量と、Ｎ＋１番目トラックとＮ番目トラックのずれである第１誤差量に基づいてＮ＋１番目トラックのクロストーク成分を生成する第１波形生成部と、Ｎ−１番目トラックからＮ番目トラックに対するクロストーク量である第２干渉量と、Ｎ−１番目トラックとＮ番目トラックのずれである第２誤差量に基づいてＮ−１番目トラックのクロストーク成分を生成する第２波形生成部と、前記遅延部出力から前記第１波形生成部出力および前記第２波形生成部出力を減算する波形演算部と、を有することを特徴とする情報再生装置で解決できる。【選択図】  図１
2012226789.tif 000002
【特許請求の範囲】
【請求項１】
Ｎ＋１（Ｎ：２以上の自然数）番目トラックを読み出す情報再生装置において、
Ｎ番目トラックの再生信号を出力する遅延部と、
Ｎ＋１番目トラックからＮ番目トラックに対するクロストーク量である第１干渉量と、Ｎ＋１番目トラックとＮ番目トラックのずれである第１誤差量に基づいてＮ＋１番目トラックのクロストーク成分を生成する第１波形生成部と、
Ｎ−１番目トラックからＮ番目トラックに対するクロストーク量である第２干渉量と、Ｎ−１番目トラックとＮ番目トラックのずれである第２誤差量に基づいてＮ−１番目トラックのクロストーク成分を生成する第２波形生成部と、
前記遅延部出力から前記第１波形生成部出力および前記第２波形生成部出力を減算する波形演算部と、
を有することを特徴とする情報再生装置。
【請求項２】
請求項１に記載の情報再生装置において、
Ｎ＋１番目トラックとＮ番目トラックに記録されたデータの位相差を検出する第１位相差検出部と、
Ｎ−１番目トラックとＮ番目トラックに記録されたデータの位相差を検出する第２位相差検出部と、を備え、
前記第１誤差量とは前記第１位相差検出部出力であり、
前記第２誤差量とは前記第２位相差検出部出力であることを特徴とする情報再生装置。
【請求項３】
請求項１に記載の情報再生装置において、
Ｎ＋１番目トラックからＮ番目トラックへ混入するクロストーク量を検出する第１特性検出部と、
Ｎ−１番目トラックからＮ番目トラックへ混入するクロストーク量を検出する第２特性検出部と、を備え、
前記第１干渉量とは前記第１特性検出部出力であり、
前記第２干渉量とは前記第２特性検出部出力であることを特徴とする情報再生装置。
【請求項４】
請求項１乃至３に記載の情報再生装置において、
再生トラックの位置に基づいて前記第１波形生成部出力と０を選択する第１スイッチと、
再生トラックの位置に基づいて前記第２波形生成部出力と０を選択する第２スイッチと、
を有することを特徴とする情報再生装置。
【請求項５】
請求項１乃至４に記載の情報再生装置において、
光ディスクにレーザ光を照射し、反射光から信号を読み出すピックアップを備え、
光ディスク上のレーザ光のスポット中心がトラック上を走査することを特徴とする情報再生装置。
【請求項６】
Ｎ（Ｎ：２以上の自然数）番目トラックとＮ−１番目トラックの間を読み出す情報再生装置において、
Ｎ−１番目トラックからＮ番目トラックに対するクロストーク量である干渉量と、Ｎ−１番目トラックとＮ番目トラックのずれである誤差量に基づいてＮ−１番目トラックのクロストーク成分を生成する波形生成部と、
Ｎ番目トラックの再生信号から前記波形生成部出力を減算する波形演算部と、
を有することを特徴とする情報再生装置。
【請求項７】
請求項６に記載の情報再生装置において、
Ｎ−１番目トラックとＮ番目トラックに記録されたデータの位相差を検出する位相差検出部を備え、
前記誤差量とは前記位相差検出部出力であることを特徴とする情報再生装置。
【請求項８】
請求項６に記載の情報再生装置において、
Ｎ−１番目トラックからＮ番目トラックへ混入するクロストーク量を検出する特性検出部を備え、
前記干渉量とは前記特性検出部出力であることを特徴とする情報再生装置。
【請求項９】
請求項６乃至８に記載の情報再生装置において、
再生トラックの位置に基づいて前記波形生成部出力と０を選択するスイッチを有することを特徴とする情報再生装置。
【請求項１０】
請求項６乃至９に記載の情報再生装置において、
光ディスクにレーザ光を照射し、反射光から信号を読み出すピックアップを備え、
光ディスク上のレーザ光のスポット中心がＮ番目トラックとＮ−１番目トラックの間を走査することを特徴とする情報再生装置。
【請求項１１】
Ｎ＋１（Ｎ：２以上の自然数）番目トラックを読み出す情報再生方法において、
Ｎ番目トラックの再生信号を出力し、
Ｎ＋１番目トラックからＮ番目トラックに対するクロストーク量である第１干渉量と、Ｎ＋１番目トラックとＮ番目トラックのずれである第１誤差量に基づいてＮ＋１番目トラックのクロストーク成分を生成し、
Ｎ−１番目トラックからＮ番目トラックに対するクロストーク量である第２干渉量と、Ｎ−１番目トラックとＮ番目トラックのずれである第２誤差量に基づいてＮ−１番目トラックのクロストーク成分を生成し、
前記Ｎ番目トラックの再生信号から前記Ｎ＋１番目トラックのクロストーク成分および前記Ｎ−１番目トラックのクロストーク成分を減算することを特徴とする情報再生方法。
【請求項１２】
請求項１１に記載の情報再生方法において、
Ｎ＋１番目トラックとＮ番目トラックに記録されたデータの位相差である第１位相差を検出し、
Ｎ−１番目トラックとＮ番目トラックに記録されたデータの位相差である第２位相差を検出し、
前記第１誤差量とは前記第１位相差であり、
前記第２誤差量とは前記第２位相差であることを特徴とする情報再生方法。
【請求項１３】
請求項１１に記載の情報再生方法において、
Ｎ＋１番目トラックからＮ番目トラックへ混入するクロストーク量である第１クロストーク量を検出し、
Ｎ−１番目トラックからＮ番目トラックへ混入するクロストーク量である第２クロストーク量を検出し、
前記第１干渉量とは前記第１クロストーク量であり、
前記第２干渉量とは前記第２クロストーク量であることを特徴とする情報再生方法。
【請求項１４】
請求項１１乃至１３に記載の情報再生方法において、
再生トラックの位置に基づいて前記第１波形生成部出力と０を選択し、
再生トラックの位置に基づいて前記第２波形生成部出力と０を選択することを特徴とする情報再生方法。
【請求項１５】
請求項１１乃至１４に記載の情報再生方法において、
光ディスクにレーザ光を照射し、
光ディスク上のレーザ光のスポット中心がトラック上を走査することを特徴とする情報再生方法。
【請求項１６】
Ｎ（Ｎ：２以上の自然数）番目トラックとＮ−１番目トラックの間を読み出す情報再生方法において、
Ｎ−１番目トラックからＮ番目トラックに対するクロストーク量である干渉量と、Ｎ−１番目トラックとＮ番目トラックのずれである誤差量に基づいてＮ−１番目トラックのクロストーク成分を生成し、
Ｎ番目トラックの再生信号から前記波形生成部出力を減算することを特徴とする情報再生方法。
【請求項１７】
請求項１６に記載の情報再生方法において、
Ｎ−１番目トラックとＮ番目トラックに記録されたデータの位相差を検出し、
前記誤差量とは前記位相差であることを特徴とする情報再生方法。
【請求項１８】
請求項１６に記載の情報再生方法において、
Ｎ−１番目トラックからＮ番目トラックへ混入するクロストーク量を検出し、
前記干渉量とは前記検出結果であることを特徴とする情報再生方法。
【請求項１９】
請求項１６乃至１８に記載の情報再生方法において、
再生トラックの位置に基づいて前記波形生成部出力と０を選択することを特徴とする情報再生方法。
【請求項２０】
請求項１６乃至１９に記載の情報再生方法において、
光ディスクにレーザ光を照射し、
光ディスク上のレーザ光のスポット中心がＮ番目トラックとＮ−１番目トラックの間を走査することを特徴とする情報再生方法。
【発明の詳細な説明】
【技術分野】
【０００１】
本発明は、情報記録媒体から情報を再生する、装置および方法に関する。
【背景技術】
【０００２】
現在、ＢＤ（Ｂｌｕ−ｒａｙ  Ｄｉｓｃ（商標））規格では１層２５ＧＢを２層、またＢＤＸＬ（商標）規格では１層３２ＧＢを４層のように高密度化、多層化することにより光ディスクの容量を向上させている。
【０００３】
今後の更なる高密度、大容量化においては、例えば特許文献１の０００２段落に記載のように、「光ディスク再生装置において、光ディスクの記録密度を高めるためトラックピッチを狭くすると、再生対象となるトラック（以下「再生トラック」という。）に照射された光スポットが再生トラックに隣接するトラック（以下「隣接トラック」という。）に漏れて、読取信号にクロストーク成分が混入する。そこで、このクロストーク成分を除去するために、隣接トラックから混入してくるクロストーク成分を疑似的・電気的に生成（以下、「複製」という。）し読取信号から減算する」などの技術が挙げられる。
【０００４】
１ビーム方式の光ピックアップを用いてクロストーク除去を小さい回路規模で実現するには、例えば特許文献１の０００９段落に記載のように、「再生トラックの隣に位置する隣接トラックから混入するクロストーク成分を疑似的に生成し、再生トラックの情報信号から減算してクロストークを除去するクロストーク除去装置において、読取信号を２値判定し隣接トラックに相当する２値信号を出力する２値化手段と、２値信号からクロストーク成分を生成するフィルタ手段と、２値信号を遅延させる遅延手段と、再生トラックの情報信号からクロストーク成分を減算する減算手段と、を備えて構成」することで可能としていた。
【先行技術文献】
【特許文献】
【０００５】
【特許文献１】特開平７−３３４９３１公報
【発明の概要】
【発明が解決しようとする課題】
【０００６】
しかし光ディスクでは螺旋状にトラックを形成するため、隣接トラックと再生トラックの周波数および／または位相ずれが問題となる。よって、この技術を適用する場合、実際に再生信号に含まれているクロストーク成分と二値信号から擬似的に生成したクロストーク成分の間でずれが発生し、正しくクロストーク成分を除去できない。
【０００７】
そこで本発明の目的は、隣接トラックと再生トラックの周波数および／または位相ずれを考慮して擬似的にクロストーク成分を生成し、再生信号からクロストークの影響を除去する方法を提供することにある。
【課題を解決するための手段】
【０００８】
上記課題は、特許請求の範囲に記載の発明により解決される。
【発明の効果】
【０００９】
本発明によれば、隣接トラックと再生トラックの周波数および／または位相ずれを考慮して擬似的にクロストーク成分を生成し、再生信号からクロストークの影響を除去することで、再生信号からクロストークの影響を除去することが可能となり、読み取り精度を向上させることが可能となる。
【図面の簡単な説明】
【００１０】
【図１】本発明の第１の実施例における光ディスク再生手段の構成図
【図２】光ディスク上における光スポットとトラックを表す図
【図３】再生トラックにおけるビット応答を表す図
【図４】隣接トラックにおけるビット応答を表す図
【図５】本発明の第１の実施例における波形生成手段の構成図
【図６】光ディスク上におけるトラックを表す図
【図７】光ディスク上における光スポットとトラックを表す図
【図８】本発明の第１の実施例における遅延量制御のタイミングチャート
【図９】本発明の第１の実施例における遅延量制御のタイミングチャート
【図１０】本発明の第１の実施例における光ディスク再生手段の構成図
【図１１】本発明の第２の実施例における光ディスク再生手段の構成図
【図１２】光ディスク上における光スポットとトラックを表す図
【図１３】本発明の第３の実施例における光ディスク再生手段の構成図
【図１４】光ディスク上におけるトラック間での位相差を表す図
【図１５】本発明の第３の実施例における波形生成手段の構成図
【図１６】本発明の第３の実施例における光ディスク再生手段の構成図
【図１７】本発明の第４の実施例における光ディスク再生手段の構成図
【図１８】光ディスク上におけるデトラックの様子を表す図
【図１９】本発明の第４の実施例における波形生成手段の構成図
【図２０】本発明の第４の実施例における光ディスク再生手段の構成図
【図２１】本発明の第５の実施例における光ディスク再生手段の構成図
【図２２】本発明の第５の実施例における減算手段の構成図
【図２３】本発明の第５の実施例における再生手順を表すフローチャート
【図２４】本発明の第５の実施例における光ディスク再生手段の構成図
【図２５】本発明の第５の実施例における減算手段の構成図
【図２６】本発明の第５の実施例における再生手順を表すフローチャート
【発明を実施するための形態】
【００１１】
以下、本発明の実施例について説明する。
【実施例１】
【００１２】
本実施例は、光ディスク再生におけるクロストーク除去処理において、隣接トラックと再生トラックの周波数ずれを考慮した上で擬似的にクロストーク成分を生成し、クロストークを除去することを可能とする情報再生装置および方法を提供する。
【００１３】
まず図２乃至図４を用いて本実施例の概念について説明する。
【００１４】
図２に示すようなトラックピッチの場合、光ディスク１０１上の再生対象トラック（以下、再生トラック）Ｔｂにレーザを照射すると、光スポット２０１は再生トラックＴｂの前に隣接しているトラック（以下、前トラック）Ｔａと、後に隣接しているトラック（以下、後トラック）Ｔｃにも影響する。これにより前トラックＴａおよび後トラックＴｃ上の記録マーク２０２の同時読み出しが発生し、再生トラックＴｂの再生信号にクロストーク成分が漏れ込む。
【００１５】
このとき、光ピックアップの光学特性や伝送特性により、再生トラックＴｂ上での１ビット信号に対する応答は、図３のビット応答３０１のように表される。一方、隣接トラックＴａおよびＴｂ上での１ビット信号に対する応答は、図４のビット応答４０１のように表される。このビット応答４０１に従った隣接トラックからのクロストーク成分が再生信号に重畳することとなる。
【００１６】
クロストーク成分が重畳する場合、ビット応答４０１に近いＰＲ特性４０２であるＰＲ（ａ，ｂ，ｃ，ｄ，ｅ）（ａ，ｂ，ｃ，ｄ，ｅ：任意の実数）を有する信号を生成し、再生信号から減算することによりクロストークの影響を除去することで、ビット応答３０１に近いＰＲ特性３０２であるＰＲ（１，２，２，２，１）のみを用いて再生信号を復号することが可能となる。なお、本実施例において使用するＰＲ特性をＰＲ（１，２，２，２，１）として説明するがこれに限定するものではなく、任意の係数、拘束長のＰＲ特性を用いてもよい。
【００１７】
以下にこの概念を用いた本実施例の再生装置および方法について図１を用いて説明する。
【００１８】
光ピックアップ１０２が光ディスク１０１にレーザを照射し、スピンドルモータ１０３を回転させることで図２のトラックＴａ、Ｔｂ、Ｔｃを順に再生するとする。ディスクからの反射光を受光することで読み取った再生信号は、アナログ・フロント・エンド(Ａｎａｌｏｇ  Ｆｒｏｎｔ  Ｅｎｄ：以下、ＡＦＥ)１０４においてアナログ処理を行い、ＡＤコンバータ（以下、ＡＤＣ）１０５に入力する。ＡＤＣ１０５でデジタル化した再生信号は、波形等化部１０６で波形等化し、第１二値化部１０７と第１遅延部１０８に入力する。
【００１９】
第１遅延部１０８は波形等化部１０６出力に対して後述するように１トラック分の遅延処理を行う。これにより波形等化部１０６出力が後トラックＴｃに対応する再生信号ＷＴｃである場合、第１遅延部１０８出力は再生トラックＴｂに対応する再生信号ＷＴｂとなる。第１二値化部１０７では、例えばビタビ復号などを用いて、後トラックＴｃ上に記録されている情報に相当する二値信号ＢＴｃを復号し出力する。ビタビ復号に使用するＰＲ特性は、ビット応答３０１に近いＰＲ特性３０２であるＰＲ（１，２，２，２，１）などを使用すればよい。第１波形生成部１０９では、ビット応答４０１に近いＰＲ特性４０２であるＰＲ（ａ，ｂ，ｃ，ｄ，ｅ）などの特性を用いて二値信号ＢＴｃから、後トラックＴｃのクロストーク信号ＣＴｃを生成し、減算部１１０へ入力する。
【００２０】
ここで、第１波形生成部１０９における信号生成方法の例について述べる。
【００２１】
図５は図１における第１波形生成部１０９の構成例を示す。第１波形生成部１０９は、遅延器５０１〜５０４、乗算器５０５〜５０９、加算器５１０により畳み込み演算器を構成し、図４のＰＲ特性４０２と入力信号との畳み込み演算を実施する。第２波形生成部１１３についても同様の構成を用いればよい。なお、信号生成方法についてはこの構成に限定するものではない。
【００２２】
減算部１１０では、再生信号ＷＴｂから後トラックＴｃのクロストーク信号ＣＴｃと後述の処理で生成する前トラックＴａのクロストーク信号ＣＴａを減算、クロストークを除去した再生トラックＴｂの再生信号Ｗを生成し、第２二値化部１１１に入力する。第２二値化部１１１では、第１二値化部１０７と同様にビタビ復号などを用いて、再生信号Ｗから再生トラックＴｂ上に記録されている情報に相当する二値信号ＢＴｂを復号し、第２遅延部１１２と復調部１１４に入力する。
【００２３】
第２遅延部１１２は、第２遅延部１１２出力が第２二値化部１１１出力に対して１トラック分遅延したものとなるように、後述する遅延量分だけ遅延処理を行い前トラックＴａ上に記録されている情報に相当する二値信号ＢＴａを出力する。第２波形生成部１１３では、ビット応答４０１に近いＰＲ特性４０２であるＰＲ（ａ，ｂ，ｃ，ｄ，ｅ）などの特性を用いて二値信号ＢＴａから、前トラックＴａのクロストーク信号ＣＴａを生成し、減算部１１０へ入力する。
【００２４】
その後、復調部１１４で第２二値化部１１１出力を復調処理し、誤り訂正部１１５で誤り訂正処理を実施した後、出力処理部１１６でデスクランブル処理をし、ホスト１１７へ送信する。
【００２５】
次に本実施例における第１遅延部１０８と第２遅延部１１２の動作について詳細に説明する。
【００２６】
図６は光ディスク１０１上でのトラックの構成例を示しており、地点ＡからＢをＮ−１番目トラック、地点ＢからＣまでをＮ番目トラック、地点ＣからＤまでをＮ＋１番目トラックとし、地点ＡからＤへ順に再生するものとする（Ｎ：２以上の自然数）。
【００２７】
図７は図６の地点Ａ〜Ｄ付近を拡大したもの示し、地点ＢからＮ番目トラックの再生処理を開始すると、地点Ｂでは光スポット２０１上において前トラックＴａはＮ−１番目トラック、再生トラックＴｂはＮ番目トラック、後トラックＴｃはＮ＋１番目トラック、波形等化部１０６出力は再生トラックＴｂを再生した結果に該当する。
【００２８】
まず、第１遅延部１０８の動作について説明する。
【００２９】
図８は実際のトラックと各部で処理するトラックの関係を示している。地点Ｂにおいて、後トラックＴｃのクロストーク成分を除去するためにはＮ＋１番目トラックとＮ−１番目トラックの二値信号が必要となるが、第１二値化部１０７では図８に示すタイミングのようにまだＮ＋１番目トラックの二値信号を出力していない。そこで、Ｎ＋１番目トラックの二値信号が出力されるまで、波形等化部１０６出力を第１遅延部１０８で遅延させる必要がある。第１二値化部１０７の遅延量をｎ１とすると、必要な遅延量ｄ１は（地点ＢからＣまでのビット数）＋ｎ１となる。さらに、１トラック進んだ場合での必要な遅延量をｄ１’は（地点ＣからＤまでのビット数）＋ｎ１となる。このように再生するトラックによって１トラックのビット数が異なることから遅延量も変化する。よって、遅延制御部１１８ではマイコン１１９から再生位置の情報を取得し、その位置に応じた第１遅延部１０８の遅延量を動的に算出することで、遅延量の変化に追従することを可能とする。
【００３０】
次に、第２遅延部１１１の動作について説明する。
【００３１】
図９は各部で処理するトラックの関係を示している。地点Ｂ＋ｄ１において、前トラックＴａのクロストーク成分を除去するためにはＮ−１番目トラックの二値信号が必要となるが、図９中示すように必要なタイミングである地点Ｂ＋ｄ１よりも早いタイミングで第２二値化部１１１から出力されてしまうため、第２遅延部１１２で遅延させる必要がある。第２二値化部１１１の遅延量をｎ２とすると、必要な遅延量ｄ２は（地点ＢからＣまでのビット数）−ｎ２となる。さらに、１トラック進んだ場合での必要な遅延量をｄ２’は（地点ＣからＤまでのビット数）−ｎ２となる。このように再生するトラックによって１トラックのビット数が異なることから遅延量も変化する。よって、遅延制御部１１８ではマイコン１１９から再生位置の情報を取得し、その位置に応じた第２遅延部１１１の遅延量を動的に算出することで、遅延量の変化に追従することを可能とする。
【００３２】
以上で説明した回路構成を用いれば、光ディスク再生におけるクロストーク除去処理において、隣接トラックと再生トラックの周波数ずれを考慮した上で擬似的にクロストーク成分を生成し、クロストークを除去することが可能となる。
【００３３】
なお、本実施例は波形等化部１０６を第１遅延部１０８の前段に配したが、第１遅延部１０８の後段、もしくは前段と後段の両方に配してもよい。
【００３４】
さらに、本実施例では前トラックのクロストーク成分を生成するために第２二値化部１１１出力を用いたが、図１０に示すように誤り訂正部１１５出力を用いて構成してもよい。この際、遅延制御部１００１において遅延量ｎ２は第２二値化部１１１、復調部１１４、誤り訂正部１１５の遅延量とすればよい。
これらのことは以降の実施例についても同様に適用可能である。
【実施例２】
【００３５】
本実施例が実施例１と異なるのは、実施例１がクロストーク除去処理において３トラック分の信号を用いていたのに対して、本実施例では２トラックで実現する点である。
【００３６】
まず図１２を用いて本実施例の概念について説明する。
【００３７】
図１２に示すように光ディスク１０１上の再生対象トラック（以下、再生トラック）Ｔｂと再生トラックＴｂの前に隣接しているトラック（以下、前トラック）Ｔａの間にレーザを照射すると、前トラックＴａおよび後トラックＴｃ上の記録マーク２０２の同時読み出しが発生し、再生トラックＴｂの再生信号にクロストーク成分が漏れ込む。
【００３８】
よって、前トラックＴａのビット応答４０１に近いＰＲ特性４０２であるＰＲ（ａ，ｂ，ｃ，ｄ，ｅ）を有する信号を生成し、再生信号から減算することによりクロストークの影響を除去する。
【００３９】
以下にこの概念を用いた本実施例の再生装置および方法について図１１を用いて説明する。
【００４０】
光ピックアップ１０２が光ディスク１０１にレーザを照射し、スピンドルモータ１０３を回転させることで図１２のトラックＴａ、Ｔｂを順に再生するとする。波形等化部１０６までの処理は実施例１と同一であり、波形等化部１０６出力ＷＴｂを減算部１１０１に入力する。減算部１１０１では、後述の処理で生成する前トラックＴａのクロストーク信号ＣＴａを再生信号ＷＴｂから減算、クロストークを除去した再生トラックＴｂの再生信号Ｗを生成し、二値化部１１０２に入力する。二値化部１１０２では、ビタビ復号などを用いて、再生信号Ｗから再生トラックＴｂ上に記録されている情報に相当する二値信号ＢＴｂを復号し、遅延部１１０３と復調部１１４に入力する。
【００４１】
遅延部１１０３は、遅延部１１０３出力が二値化部１１０２出力に対して１トラック分遅延したものとなるように遅延処理を行い、前トラックＴａ上に記録されている情報に相当する二値信号ＢＴａを出力する。遅延部１１０３の処理は実施例１における第２遅延部１１２と同様の処理で実現できる。波形生成部１１０４では、ビット応答４０１に近いＰＲ特性４０２であるＰＲ（ａ，ｂ，ｃ，ｄ，ｅ）などの特性を用いて二値信号ＢＴａから、前トラックＴａのクロストーク信号ＣＴａを生成し、減算部１１０１へ入力する。
【００４２】
復調部１１４で第２二値化部１１１出力を復調処理し、誤り訂正部１１５で誤り訂正処理を実施した後、出力処理部１１６でデスクランブル処理をし、ホスト１１７へ送信する。
【００４３】
以上で説明した回路構成を用いれば、光ディスク再生におけるクロストーク除去処理において、隣接トラックと再生トラックの周波数ずれを考慮した上で擬似的にクロストーク成分を生成し、クロストークを除去することが可能となる。
【実施例３】
【００４４】
本実施例が実施例１と異なるのは、隣接トラックと再生トラックの周波数ずれだけでなく位相ずれをも考慮した上で擬似的にクロストーク成分を生成し、クロストークを除去する点である。
【００４５】
まず図１４を用いて本実施例の概念について説明する。
【００４６】
図１４に図２の記録マーク２０２の詳細を示す。記録マーク２０２は一般的に光ディスク１０１上に螺旋状に記録され、記録マーク２０２の１ビット分の長さである１Ｔは各トラックで同じであるので、その位相は隣接トラックでずれることになる。図１４は再生トラックＴｂを基準として、前トラックＴａがφ２、後トラックＴｃがφ１ずれている様子を示している。クロストーク成分を生成する際にこの位相差を考慮することで、クロストークを除去の精度を高めることが可能となる。
【００４７】
以下にこの概念を用いた本実施例の再生装置および方法について図１３を用いて説明する。図１と相違するのは、第１位相差検出部１３０１、第２位相差検出部１３０２、第１波形生成部１３０３、第２波形生成部１３０４である。
【００４８】
まず第１位相差検出部１３０１では、ピックアップ１０２で検出した信号を基にＡＦＥ１０４で処理された信号から、再生トラックＴｂと後トラックＴｃの位相差φ１を算出する。この位相差は、再生トラックＴｂの同期信号位置と後トラックＴｃの同期信号位置から測定する、もしくはピックアップ１０２からサブスポットの信号を取得しメインスポットとの距離を測定するなどの方法が考えられるが、限定するものではない。さらに図１３の第１位相差検出部１３０１はＡＦＥ１０４より情報を取得しているがこれに限定するものではなく、ピックアップ１０２、ＡＤＣ１０５、波形等化部１０６などどこから取得してもよい。これらのことは後述の第２位相差検出部１３０２についても同様である。
【００４９】
図１５に第１波形生成部１３０３の構成を示す。第１波形生成部１３０３では、遅延器５０１〜５０４、乗算器５０５〜５０９、加算器５１０により、ＰＲ（ａ，ｂ，ｃ，ｄ，ｅ）と二値信号ＢＴｃの畳み込み演算を実施し、位相補償部１５０１において第１位相差検出部１３０１出力である位相差φ１に基づいて位相を補償する。位相補償部１５０１の位相補償方法には、例えば入力信号帯域における位相特性が−φ１となるように特性を調整したＦＩＲフィルタを用いることで実現可能であるが、これに限定するものではない。
【００５０】
以上の構成により後トラックＴｃのクロストーク信号ＣＴｃを生成し、減算部１１０へ入力する。
【００５１】
第２位相差検出部１３０２、第２波形生成部１３０４についても、第１位相差検出部１３０１、第１波形生成部１３０３と同様に処理することで、前トラックＴａのクロストーク信号ＣＴａを生成し、減算部１１０へ入力する。
【００５２】
以上で説明した回路構成を用いれば、光ディスク再生におけるクロストーク除去処理において、隣接トラックと再生トラックの周波数ずれだけでなく位相ずれをも考慮した上で擬似的にクロストーク成分を生成し、クロストークを除去することが可能となる。
【００５３】
なお、本実施例では実施例１について説明したが、図１６に示す位相差検出部１６０１、波形生成部１６０２を使用することで実施例２についても同様に適用可能である。
【実施例４】
【００５４】
本実施例が実施例１と異なるのは、隣接トラックのビット応答が再生中に変化した場合においても適切なクロストーク成分を生成し、クロストークを除去する点である。
【００５５】
まず図１８を用いて本実施例の概念について説明する。
【００５６】
サーボの追従が正常でない場合などには、図２の光スポット２０１が図１８の光スポット１８０１のようにずれてしまうデトラックと呼ばれる現象が発生する。この時、隣接トラックＴａおよびＴｂ上での１ビット信号に対する応答は、図４のビット応答４０１から乖離することになる。よって、定常状態のＰＲ（ａ，ｂ，ｃ，ｄ，ｅ）だけでなく、再生中に変化したビット応答に対応するＰＲ特性であるＰＲ（α，β，γ，δ，ε）（α，β，γ，δ，ε：任意の実数）を有する信号を生成することで、クロストーク除去の精度を高めることが可能となる。なお、以降デトラックを例に説明するが、デフォーカスやチルトなどの各種外乱に対しても同様に適用することが可能である。
【００５７】
以下にこの概念を用いた本実施例の再生装置および方法について図１７を用いて説明する。図１と相違するのは、第１特性検出部１７０１、第２特性検出部１７０２、第１波形生成部１７０３、第２波形生成部１７０４である。
【００５８】
まず第１特性検出部１７０１では、ピックアップ１０２で検出した信号を基にＡＦＥ１０４で処理された信号から、後トラックＴｃに対するデトラック量ｆ１を算出する。このデトラック量ｆ１は、ピックアップ１０２のトラッキングエラー信号から算出する、もしくは固定パターン領域を再生した際に隣接トラックから漏れ込む量を評価するなどの方法が考えられるが、限定するものではない。さらに図１７の第１特性検出部１７０１はＡＦＥ１０４より情報を取得しているがこれに限定するものではなく、ピックアップ１０２、ＡＤＣ１０５、波形等化部１０６などどこから取得してもよい。これらのことは後述の第２特性検出部１７０２についても同様である。
【００５９】
図１９に第１波形生成部１７０３の構成を示す。第１波形生成部１７０３では、係数生成部１９０１において第１特性検出部１７０１出力ｆ１に基づいて後トラックＴｃのビット応答に近いＰＲ特性であるＰＲ（α，β，γ，δ，ε）を算出し、遅延器５０１〜５０４、乗算器１９０２〜１９０６、加算器１９０７により、ＰＲ（α，β，γ，δ，ε）と二値信号ＢＴｃの畳み込み演算を実施する。ＰＲ特性の算出方法には、例えばデトラック量ｆ１に対応したＰＲ特性を事前に測定しておき呼び出す、もしくは求めたＰＲ特性を使用して生成した信号と実際の信号を比較し誤差が最小となるようにＰＲ特性を追従させるなどの方法によれば実現可能であるが、これらに限定するものではない。
【００６０】
以上の構成により後トラックＴｃのクロストーク信号ＣＴｃを生成し、減算部１１０へ入力する。
【００６１】
第２特性検出部１７０２、第２波形生成部１７０４についても、第１特性検出部１７０１、第１波形生成部１７０３と同様に処理することで、前トラックＴａのクロストーク信号ＣＴａを生成し、減算部１１０へ入力する。
【００６２】
以上で説明した回路構成を用いれば、光ディスク再生におけるクロストーク除去処理において、隣接トラックのビット応答が再生中に変化した場合においても適切なクロストーク成分を生成し、クロストークを除去することが可能となる。
【００６３】
なお、本実施例では実施例１について説明したが、第１特性検出部１７０１、第１波形生成部１７０３と同様の機能を持つ、図２０に示す特性検出部２００１、波形生成部２００２を使用することで実施例２についても同様に適用可能である。
【００６４】
さらに、第１特性検出部１７０１の代わりに図１３の第１位相差検出部１３０１を使用し位相差を検出、位相差を補償する係数を係数生成部１９０１で生成すれば実施例３と同等の位相補償を実施例４の構成で実施することも可能となる。
【実施例５】
【００６５】
本実施例が実施例１と異なるのは、再生開始時や再生終了時においても擬似的にクロストーク成分を生成し、クロストークを除去する点である。
【００６６】
図２１に本実施例における再生装置の構成を、図２２に減算部２１０１の構成を示す。図１と相違するのは、減算部２１０１および減算制御部２１０２である。
【００６７】
ここで、本実施例の再生動作について図１２のフローチャートを用いて説明する。
【００６８】
Ｎ番目トラックから再生をしたい場合、ピックアップ１０２を動かしＮ−１番目トラックへジャンプする（２３０１）。再生開始して１トラック目はクロストーク信号ＣＴａおよびクロストーク信号ＣＴｃが生成されていないため、減算制御部２１０２ではマイコン１１９から取得した再生トラックの情報に基づいてスイッチ制御信号２１０３を出力し、スイッチ制御信号２１０３に基づいて減算部２１０１のスイッチ２２０２およびスイッチ２２０３出力が０となるように切り替え（２３０２）、１トラック分の再生処理を実施する（２３０３）。再生開始して２トラック目にはクロストーク信号ＣＴｃは生成されているがクロストーク信号ＣＴａが生成されていないため、スイッチ制御信号２１０３に基づいて減算制御部２１０２のスイッチ２２０２出力が０、スイッチ２２０３出力がクロストーク信号ＣＴｃとなるように切り替え（２３０４）、１トラック分の再生処理を実施する（２３０５）。再生開始して３トラック目以降はクロストーク信号ＣＴａおよびクロストーク信号ＣＴｃが生成されているため、スイッチ制御信号２１０３に基づいて減算制御部２１０２のスイッチ２２０２出力がクロストーク信号ＣＴａ、スイッチ２２０３出力がクロストーク信号ＣＴｃとなるように切り替え（２３０６）、１トラック分の再生処理を実施する（２３０７）。ここで、Ｎ＋Ｋ番目トラック（Ｋ：自然数）まで再生するならば、Ｎ＋Ｋ＋１番目トラックまで再生処理を実施する（２３０８）。
【００６９】
同様に実施例２に対して適用する方法について述べる。
【００７０】
図２４に本実施例における再生装置の構成を、図２５に減算制御部２４０２の構成を示す。図１１と相違するのは、減算部２４０１および減算制御部２４０２である。
【００７１】
ここで、本実施例の再生動作について図２６のフローチャートを用いて説明する。
【００７２】
Ｎ番目トラックから再生をしたい場合、ピックアップ１０２を動かしＮ−１番目トラックへジャンプする（２６０１）。再生開始して１トラック目はクロストーク信号ＣＴａが生成されていないため、減算制御部２４０２ではマイコン１１９から取得した再生トラックの情報に基づいてスイッチ制御信号２４０３を出力し、スイッチ制御信号２４０３に基づいて減算部２４０１のスイッチ２５０２出力が０となるように切り替え（２６０２）、１トラック分の再生処理を実施する（２６０３）。再生開始して２トラック目以降はクロストーク信号ＣＴａが生成されているため、スイッチ制御信号２４０３に基づいて減算制御部２４０２のスイッチ２５０２出力がクロストーク信号ＣＴａとなるように切り替え（２６０４）、１トラック分の再生処理を実施する（２６０５）。ここで、Ｎ＋Ｋ番目トラック（Ｋ：自然数）まで再生するならば、Ｎ＋Ｋ番目トラックまで再生処理を実施する（２６０６）。
【００７３】
以上で説明した回路構成、処理手順によれば、再生開始時や再生終了時においても擬似的にクロストーク成分を生成し、クロストークを除去することが可能となる。
【００７４】
なお、本実施例では実施例１、実施例２について説明したが、その他の実施例についても同様に適用可能である。
【符号の説明】
【００７５】
１０１・・・光ディスク、１０２・・・ピックアップ、１０３・・・スピンドルモータ、１０４・・・ＡＦＥ、１０５・・・ＡＤＣ、１０６・・・波形等化部、１０７・・・第１二値化部、１０８・・・第１遅延部、１０９・・・第１波形生成部、１１０・・・減算部、１１１・・・第２二値化部、１１２・・・第２遅延部、１１３・・・第２波形生成部、１１４・・・復調部、１１５・・・誤り訂正部、１１６・・・出力処理部、１１７・・・ホスト、１１８・・・遅延制御部、１１９・・・マイコン、２０１・・・光スポット、２０２・・・記録マーク、３０１・・・ビット応答、３０２・・・ＰＲ特性、４０１・・・ビット応答、４０２・・・ＰＲ特性、５０１〜５０４・・・遅延器、５０５〜５０９・・・乗算器、５１０・・・加算器、１００１・・・遅延制御部、１１０１・・・減算部、１１０２・・・二値化部、１１０３・・・遅延部、１１０４・・・波形生成部、１１０５・・・遅延制御部、１３０１・・・第１位相差検出部、１３０２・・・第２位相差検出部、１３０３・・・第１波形生成部、１３０４・・・第２波形生成部、１５０１・・・位相補償部、１６０１・・・位相差検出部、１６０２・・・波形生成部、１７０１・・・第１特性検出部、１７０２・・・第２特性検出部、１７０３・・・第１波形生成部、１７０４・・・第２波形生成部、１８０１・・・光スポット、１９０１・・・係数生成部、１９０２〜１９０６・・・乗算器、１９０７・・・加算器、２００１・・・特性検出部、２００２・・・波形生成部、２１０１・・・減算部、２１０２・・・減算制御部、２１０３・・・スイッチ制御信号、２２０１・・・減算部、２２０２・・・スイッチ、２２０３・・・スイッチ、２４０１・・・減算部、２４０２・・・減算制御部、２４０３・・・スイッチ制御信号、２５０１・・・減算部、２５０２・・・スイッチ
【図１】
2012226789.tif 000003
【図２】
2012226789.tif 000004
【図３】
2012226789.tif 000005
【図４】
2012226789.tif 000006
【図５】
2012226789.tif 000007
【図６】
2012226789.tif 000008
【図７】
2012226789.tif 000009
【図８】
2012226789.tif 000010
【図９】
2012226789.tif 000011
【図１０】
2012226789.tif 000012
【図１１】
2012226789.tif 000013
【図１２】
2012226789.tif 000014
【図１３】
2012226789.tif 000015
【図１４】
2012226789.tif 000016
【図１５】
2012226789.tif 000017
【図１６】
2012226789.tif 000018
【図１７】
2012226789.tif 000019
【図１８】
2012226789.tif 000020
【図１９】
2012226789.tif 000021
【図２０】
2012226789.tif 000022
【図２１】
2012226789.tif 000023
【図２２】
2012226789.tif 000024
【図２３】
2012226789.tif 000025
【図２４】
2012226789.tif 000026
【図２５】
2012226789.tif 000027
【図２６】
2012226789.tif 000028